(57)【特許請求の範囲】
【請求項１】
表面に電気機器が取り付けられる間仕切壁パネルと、この間仕切壁パネルの表面の両側端部にそれぞれ前記間仕切壁パネルの上下方向に延在するようにして設けられた額縁部とを備え、
前記額縁部の前記間仕切壁パネルの内側を向く側面に、配線収納用の凹溝が上下に沿って形成されていることを特徴とする電気機器取付用間仕切壁パネル。
【請求項２】
請求項１に記載の電気機器取付用間仕切壁パネルにおいて、
前記間仕切壁パネルの内部に、配線収納部が設けられていることを特徴とする電気機器取付用間仕切壁パネル。
【請求項３】
請求項１または２に記載の電気機器取付用間仕切壁パネルにおいて、
前記間仕切壁パネルは、前記電気機器が取り付けられる面材と、この面材の両側端部に取り付けられた左右一対の縦材とを備え、
前記縦材の、前記面材の厚さ方向における中間部に、前記面材の側端部が固定されていることを特徴とする電気機器取付用間仕切壁パネル。
【請求項４】
請求項３に記載の電気機器取付用間仕切壁パネルにおいて、
前記面材の裏側には、該面材と離間して耐火面材が配置され、この耐火面材の側端部が前記縦材に固定されていることを特徴とする電気機器取付用間仕切壁パネル。
【請求項５】
請求項３または４に記載の電気機器取付用間仕切壁パネルにおいて、
前記面材の裏面には、上下に延在する桟材が複数固定されていることを特徴とする電気機器取付用間仕切壁パネル。
【発明の詳細な説明】
【技術分野】
【０００１】
本発明は、インターホーンや壁掛け電話等の電気機器を取り付けるための電気機器取付用間仕切壁パネルに関する。
【背景技術】
【０００２】
住宅等の建物内部を仕切る仕切壁には、インターホン、壁掛け電話、コンセント等の電気機器が取り付けられる場合がある。
このような仕切壁を構成する壁パネルの一例として特許文献１に記載のものが知られている。この壁パネルは、断熱材から成る内層部を挟んで耐食性を有する一対の板材が対面し、その板材の長さ方向に沿って前記内層部を貫通する空洞部が並列状に設けられ、その各空洞部が配管及び電線又はその何れか一方を挿入するための通路とされているものである。
【特許文献１】特開２００４−２８５７１０号公報
【発明の開示】
【発明が解決しようとする課題】
【０００３】
ところが、上記のような従来の壁パネルでは、内部の空洞部に予め電線等の配線を挿入しておくため、壁パネルの設置後に、後付けで壁パネル表面に電気機器を取り付けた場合に、その配線を内部の空洞部に挿入するのは困難である。このため、配線を壁パネルの表面に這わすと配線が目立つので、壁パネルの表面に配線用のカバーを取り付け、このカバー内に配線を挿入するといった手間のかかる作業が必要となる。
【０００４】
本発明は上記事情に鑑みてなされたもので、壁パネルの表面に後付けで電気機器を取り付けた場合に、該電気機器の配線を外部から目立たないように収納できる電気機器取付用間仕切壁パネルを提供することを課題としている。
【課題を解決するための手段】
【０００５】
上記課題を解決するために、請求項１に記載の発明は、例えば図１〜図４に示すように、表面に電気機器が取り付けられる間仕切壁パネル２と、この間仕切壁パネル２の表面の両側端部にそれぞれ前記間仕切壁パネル２の上下方向に延在するようにして設けられた額縁部３，３とを備え、
前記額縁部３，３の前記間仕切壁パネルの内側を向く側面に、配線収納用の凹溝１４，１４が上下に沿って形成されていることを特徴とする。
【０００６】
請求項１に記載の発明によれば、間仕切壁パネル２の表面の両側端部にそれぞれ設けられた額縁部３，３の間仕切壁パネル２の内側を向く側面に、配線収納用の凹溝１４，１４が上下に沿って形成されているので、間仕切壁パネル２の表面に後付けで電気機器６ｃを取り付けても、その配線７ｃを外部から目立たないように凹溝１４に沿って容易に収納できる。
また、凹溝１４，１４は間仕切壁パネル２の両側端部に上下に沿って形成されているので、電気機器６ｂを間仕切壁パネル２の表面の上下左右の所望の位置に取り付けてもその配線７ｂを容易に凹溝１４に収納できる。
【０００７】
請求項２に記載の発明は、請求項１に記載の電気機器取付用間仕切壁パネルにおいて、
前記間仕切壁パネル２の内部に、配線収納部１３，１３が設けられていることを特徴とする。
【０００８】
請求項２に記載の発明によれば、間仕切壁パネル２の内部に配線収納部１３，１３が設けられているので、間仕切壁パネル２に取り付けられる先付け電気機器（電気機器６ａ，６ｃ）用の配線７ａ，７ｃを配線収納部１３，１３に収納しておくことによって、凹溝１４，１４に配線が集中することがない。
【０００９】
請求項３に記載の発明は、請求項１または２に記載の電気機器取付用間仕切壁パネルにおいて、
前記間仕切壁パネル２は、前記電気機器６ａ〜６ｃが取り付けられる面材４と、この面材４の両側端部に取り付けられた左右一対の縦材５，５とを備え、
前記縦材５の、前記面材４の厚さ方向における中間部に、前記面材４の側端部が固定されていることを特徴とする。
【００１０】
請求項３に記載の発明によれば、面材４の両側端部に取り付けられた縦材５，５の、前記面材４の厚さ方向における中間部に、前記面材４の側端部が固定されているので、面材４の側端部に設けた額縁部３を縦材５によって側方から補強できる。また、面材４の裏側において、一対の縦材５，５間に配線収納部１３，１３を設けることができる。
【００１１】
請求項４に記載の発明は、請求項３に記載の電気機器取付用間仕切壁パネルにおいて、
前記面材４の裏側には、該面材４と離間して耐火面材１２が配置され、この耐火面材１２の側端部が前記縦材５，５に固定されていることを特徴とする。
【００１２】
請求項４に記載の発明によれば、面材４の裏側に耐火面材１２が配置され、この耐火面材１２の側端部が縦材５，５に固定されているので、例えば、キッチンと居間とを仕切る場合等のように、耐火仕様の間仕切壁パネルとして使用できる。
【００１３】
請求項５に記載の発明は、請求項３または４に記載の電気機器取付用間仕切壁パネルにおいて、
前記面材４の裏面には、上下に延在する桟材５ａ〜５ｃが複数固定されていることを特徴とする。
【００１４】
請求項５に記載の発明によれば、面材４の裏面に上下に延在する桟材５ａ〜５ｃが複数固定されているので、これら桟材５ａ〜５ｃによって面材４を裏面から補強できるとともに、桟材５ｂ，５ｃ間を配線収納部１３とすることができる。
【発明の効果】
【００１５】
本発明によれば、間仕切壁パネルの表面の両側端部にそれぞれ上下方向に延在するようにして額縁部を設け、この額縁の前記間仕切壁パネルの内側を向く側面に、配線収納用の凹溝が上下に沿って形成されているので、間仕切壁パネルの表面に後付けで電気機器を取り付けても、その配線を外部から目立たないように凹溝に沿って容易に収納できる。
また、凹溝は間仕切壁パネルの両側端部に上下に沿って形成されているので、電気機器を間仕切壁パネルの表面の上下左右の所望の位置に取り付けてもその配線を容易に凹溝に収納できる。
【発明を実施するための最良の形態】
【００１６】
以下、図面を参照して本発明の実施の形態について説明する。
図１〜図５は本発明に係る電気機器取付用間仕切壁パネルの一例を示すもので、図１は電気機器取付用間仕切壁パネルの正面図、図２は同背面図、図３は縦断面図、図４は平断面図、図５は電気機器取付用間仕切壁パネルを設置した状態を示す斜視図である。
【００１７】
これらの図に示すように、電気機器取付用間仕切壁パネル１は、間仕切壁パネル２と額縁部３，３とを備えている。
間仕切壁パネル２は、合板で形成された長方形板状の面材４と、この面材４の両側端部に取り付けられた左右一対の縦材５，５を備えている。面材４はその表面に電気機器６ａ〜６ｃが取り付けられるものである。本実施の形態では、電気機器６ａはモニタ付きのインターホン、６ｂは壁掛け電話機、６ｃはコンセントである。
モニタ付きのインターホン６ａは面材４の正面中央左側に取り付けられており、このモニタ付きのインターホン６ａの配線７ａは面材４に形成された孔を通して面材４の裏面側に挿入されている。壁掛け電話機６ｂは面材４の正面中央右側に取り付けられるものであり、壁掛け電話機６ｂの配線７ｂは後述する凹溝１４に挿入されている。コンセント６ｃは面材４の正面下端部右側に取り付けられており、このコンセント６ｃの配線７ｃは面材４に形成された孔を通して面材４の裏面側に挿入されている。
【００１８】
縦材５，５は構造用の面材で形成されたもので、その幅方向を面材４の厚さ方向に向けて互いに平行に設けられている。縦材５，５の間に面材４が設けられており、該縦材５，５の、面材４の厚さ方向（縦材５の幅方向）における中間部に、面材４の両側端部がそれぞれ固定されている。
また、図３に示すように、縦材５，５の上端部間には、面材４の裏面側において受材８が設けられており、この受材８の両端部がそれぞれ縦材５，５の上端部に固定されている。この受材８には固定板９を介して面材４の上端部が固定されている。
さらに、縦材５，５の下端部間には、面材４の裏面側において受材１０が設けられており、この受材１０の両端部がそれぞれ縦材５，５の下端部に固定されている。この受材１０には面材４の下端部が固定されている。
また、縦材５，５の下端部間には、面材４の表面側において幅木１１が設けられており、この幅木１１の両端部に縦材５，５の下端部が固定されている。
【００１９】
面材４の裏面には、図２および図４に示すように、上下に延在する５本の桟材５ａ，５ａ，５ｂ，５ｂ，５ｃが互いに平行離間して固定されている。桟材５ａ，５ａは面材４の裏面両側端部に固定されるとともに、縦材５，５にも固定されている。桟材５ｂ，５ｂは桟材５ａ，５ａより内側に配置されて面材４に固定されており、桟材５ｃは面材４の幅方向（横方向）の中央部に配置されて面材４に固定されている。
桟材５ａ〜５ｃは面材４と直交する方向の長さが等しくなっており、これによって桟材５ａ〜５ｃの裏面は面一となっている。そして、面一となっている桟材５ａ〜５ｃの裏面に石膏ボード等の耐火面材１２が面材４と離間して固定されている。また、この耐火面材１２の上下端部はそれぞれ前記受材８，１０に固定されている。さらに、耐火面材１２の両側端部はそれぞれ前記縦材５，５に固定されている。
【００２０】
耐火面材１２と面材４との間うち、前記桟材５ｂ，５ｃ間が配線収納部１３とされている。つまり、間仕切壁パネル２の内部に、２つの配線収納部１３，１３が設けられている。そして、左側の配線収納部１３には、面材４の裏面側に挿入されたモニタ付きのインターホン６ａの配線７ａが収納され、この配線７ａは天井裏や床下を通って電源や外部スイッチ等に接続されている。また、右側の配線収納部１３には、面材４の裏側に挿入されたコンセント６ｃの配線７ｃが収納され、この配線７ｃは天井裏や床下を通って電源等に接続されている。
【００２１】
前記額縁部３，３は間仕切壁パネル２の面材４の表面両側端部にそれぞれ間仕切壁パネル２の上下方向に延在するようにして設けられている。
額縁部３は図４に示すように、面材４の前方に離間して設けられた上下に長尺な帯板状の額縁面材３ａと、この額縁面材３ａを面材４に固定するために桟材３ｂ，３ｂと、桟材３ｂの側面に固定された板材３ｃとによって構成されている。板材３ｃは上下（図４では紙面と直交する方向）に長尺なもので、額縁面材３ａの先端部より窪んで配置されている。これによって、額縁部３の間仕切壁パネル２の内側を向く側面に、配線収納用の凹溝１４が上下に沿って形成されている。つまり、板材３ｃが凹溝１４の底部となり、額縁面材３の先端部と、それに対向する面材４の部位が凹溝１４の側壁となっている。
そして、この凹溝１４には、面材４の正面中央右側に後付けで取り付けられた壁掛け電話機６ｂの配線７ｂが挿入されている。この凹溝１４に挿入された配線７ｂは天井裏や床下を通って電源や外部電話線に接続されている。
【００２２】
上記構成の電気機器取付用間仕切壁パネル１は、建物を施工する際に、建物内の所定の位置に設置される。特に本実施の形態では、電気機器取付用間仕切壁パネル１がその背面に耐火面材１２を備えているので、例えば、図５に示すように、火を扱うキッチンＫと居間Ｌとの間に設置される。その場合、電気機器取付用間仕切壁パネル１の表面を居間Ｌ側に向け、耐火面材１２がある背面をキッチンＫ側に向けて設置する。
また、建物を施工する際に、電気機器取付用間仕切壁パネル１は、モニタ付きのインターホン６ａやコンセント６ｃを取り付け、その配線７ａや６ｃは面材４を通して裏側に挿入して、配線収納部１３に収納する。
そして、建物施工後に、施主等が好みの壁掛け電話機６ｂを取り付けるが、その配線７ｂは凹溝１４に挿入する。そして、配線７を凹溝１４内を上または下に這わせたうえで、天井裏や床下を通って電源や外部電話線に接続される。
【００２３】
以上のように、本実施の形態によれば、間仕切壁パネル２の表面の両側端部にそれぞれ設けられた額縁部３の間仕切壁パネルの内側を向く側面に、配線収納用の凹溝１４が上下に沿って形成されているので、間仕切壁パネル２の表面に後付けで壁掛け電話機６ｃ等の電気機器を取り付けても、その配線７ｃを外部から目立たないように凹溝１４に沿って容易に収納できる。
また、凹溝１４は間仕切壁パネル２の両側端部に上下に沿って形成されているので、壁掛け電話機６ｃ等の電気機器を間仕切壁パネル２の表面の上下左右の所望の位置に取り付けてもその配線７ｃを容易に凹溝１４に収納できる。
【００２４】
さらに、間仕切壁パネル２の内部に配線収納部１３が設けられているので、間仕切壁パネル２に先付けで取り付けられるモニタ付きのインターホン６ａやコンセント６ｃ等の電気機器用の配線７ａ，７ｃを配線収納部１３に収納しておくことによって、凹溝１４に配線が集中することがない。
加えて、面材４の両側端部に取り付けられた縦材５，５の、面材４の厚さ方向における中間部に、面材４の側端部が固定されているので、面材４の側端部に設けた額縁部３を縦材５によって側方から補強できる。また、面材４の裏側において、一対の縦材５，５間に配線収納部１３を設けることができる。
【００２５】
また、面材４の裏側に耐火面材１２が配置され、この耐火面材１２の側端部が縦材５，５に固定され、上下端部が受材８，１０に固定されているので、キッチンと居間とを仕切る場合等のように、耐火仕様の間仕切壁パネルとして使用できる。
また、面材４の裏面に上下に延在する桟材５ａ〜５ｃが複数固定されているので、これら桟材５ａ〜５ｃによって面材４を裏面から補強できるとともに、桟材５ｂ，５ｃ間を配線収納部１３とすることができる。
【００２６】
なお、本実施の形態では、面材４の裏側に耐火面材１２を備えるようにしたが、耐火仕様でない場合は、耐火面材１２は省略してもよい。その場合、桟材５ａ〜５ｃの裏面に耐火面材１２に代えて、ベニヤ板等を接着剤等によって固定すればよい。
【図面の簡単な説明】
【００２７】
【図１】本発明に係る電気機器取付用間仕切壁パネルの一例を示すもので、電気機器取付用間仕切壁パネルの正面図である。
【図２】同、同背面図である。
【図３】同、縦断面図である。
【図４】同、平断面図である。
【図５】同、電気機器取付用間仕切壁パネルを設置した状態を示す斜視図である。
【符号の説明】
【００２８】
１  電気機器取付用間仕切壁パネル
２  間仕切パネル
３  額縁部
４  面材
５  縦材
５ａ〜５ｃ  桟材
６ａ〜６ｃ  電気機器
７ａ〜７ｃ  配線
１２  耐火面材
１３  配線収納部
１４  凹溝
【図１】
0004734156.tif 000002
【図２】
0004734156.tif 000003
【図３】
0004734156.tif 000004
【図４】
0004734156.tif 000005
【図５】
0004734156.tif 000006